(57)【特許請求の範囲】
【請求項１】
一方面に凹凸が形成されている樹脂シートの製造装置であって、
金属からなるロール本体を有する温度調節ロールと、
前記温度調節ロールと隔てられて配置された回転ロールと、
前記温度調節ロールを回転駆動するロール駆動装置と、
前記温度調節ロールと前記回転ロールとの間に掛け渡らされており、かつ外周面に前記樹脂シートの表面に形成される凹凸に対応した形状の凹凸が形成されている無端金属帯状体と、
前記無端金属帯状体を前記温度調節ロールの外表面に接触させつつ、前記樹脂シートを前記無端金属帯状体の外周面に接触させて前記樹脂シートの一方面に凹凸を付与するように、前記温度調節ロールに前記無端金属帯状体及び前記樹脂シートを介して圧接される圧着ロールと、
前記無端金属帯状体の外周面に前記樹脂シートが接触される位置よりも上流側において前記無端金属帯状体を加熱するための加熱装置と、
前記樹脂シートが、前記温度調節ロールと前記圧着ロールとの間に導かれるように、溶融された樹脂からなる樹脂シートを押し出す溶融押出装置とを備え、
前記温度調節ロールの中心と前記無端金属帯状体と前記樹脂シートとが接触する点とを結んだ線に対し、６０度〜９０度の角度をなすように前記無端金属帯状体と前記樹脂シートが接触する点に向かって前記無端金属帯状体が移動されるように構成されている、樹脂シートの製造装置。
【請求項２】
前記加熱装置が、電磁誘導を利用した加熱装置である、請求項１に記載の樹脂シートの製造装置。
【請求項３】
前記温度調節ロールの外表面が金属からなる、請求項１または２に記載の樹脂シートの製造装置。
【請求項４】
前記温度調節ロールと、前記圧着ロールとで、前記樹脂シートが挟圧され、転写が行われる部分における、前記無端金属帯状体の温度をＴ１、前記温度調節ロールの温度をＴ２、前記樹脂シートの融解温度をＴｍとしたときに、Ｔ１＞Ｔｍ＞Ｔ２となるように、前記無端金属帯状体及び前記温度調節ロールの温度が設定されている、請求項１〜３のいずれか１項に記載の樹脂シートの製造装置。
【請求項５】
前記樹脂シートの前記無端金属帯状体に接する前の温度をＴ３としたときに、Ｔ３＞Ｔ１となるように前記樹脂シートの温度及び前記無端金属帯状体の温度が設定されている、請求項４に記載の樹脂シートの製造装置。
【請求項６】
前記温度調節ロールと、前記圧着ロールとで、前記樹脂シートが挟圧され、転写が行われる部分における、前記無端金属帯状体の温度をＴ１、前記温度調節ロールの温度をＴ２、前記樹脂シートが非晶性熱可塑樹脂から成り、該非晶性熱可塑樹脂からなる樹脂シートのガラス転移温度をＴｇとしたときに、Ｔ１＞Ｔｇ＞Ｔ２となるように前記無端金属帯状体及び前記温度調節ロールの温度が設定されている、請求項１〜３のいずれか１項に記載の樹脂シートの製造装置。
【請求項７】
前記樹脂シートの前記無端金属帯状体に接する前の温度をＴ３としたときに、Ｔ３＞Ｔ１となるように前記樹脂シート及び前記無端金属帯状体の温度が設定されている、請求項６に記載の樹脂シートの製造装置。
【請求項８】
前記温度調節ロールが中空部を有し、金属からなるロール本体を備え、該中空部に冷媒を供給するための冷媒供給装置をさらに備える、請求項１〜７のいずれか１項に記載の樹脂シートの製造装置。
【請求項９】
前記無端金属帯状体の外表面に設けられた凹凸における凸部の断面のアスペクト比が０．５以上、１２．５以下である、請求項１〜８のいずれか１項に記載の樹脂シートの製造装置。
【請求項１０】
請求項１〜９のいずれか１項に記載の樹脂シートの製造装置を用いた、一方面に凹凸が形成されている樹脂シートの製造方法であって、
前記無端金属帯状体を前記温度調節ロールと前記回転ロールとに掛け渡した状態で温度調節ロールを回転駆動し、前記無端金属帯状体を前記温度調節ロールよりも上流側において前記加熱装置により加熱しつつ、該無端金属帯状体を周回駆動させる工程と、
前記溶融押出装置から押し出された樹脂シートが、前記温度調節ロールと前記圧着ロールとの間に導かれるように、前記溶融押出装置から溶融された樹脂からなる樹脂シートを押し出す工程と、
前記温度調節ロールの外周面に接触されて温度調節ロールの外表面を移動する前記無端金属帯状体の外周面に前記樹脂シートの一方面を接触させ、樹脂シートの一方面に凹凸を付与する工程と、
前記凹凸が付与された前記樹脂シートを前記温度調節ロールの外周面上において前記無端金属帯状体から剥離する工程とを備える、樹脂シートの製造方法。
【発明の詳細な説明】
【技術分野】
【０００１】
本発明は、樹脂シートの片面に凹凸を付与するための樹脂シートの製造装置及び製造方法に関し、より詳細には、予め加熱された無端金属帯状体の外表面の凹凸を樹脂シートの片面に付与する樹脂シートの製造装置及び製造方法に関する。
【背景技術】
【０００２】
従来、太陽電池用封止フィルム、液晶表示装置用光学フィルムあるいは合わせガラス用インナーフィルムなどに、表面に凹凸を有する合成樹脂フィルムが広く用いられている。このような合成樹脂フィルムの製造に際しては、溶融押出によりダイから押し出された溶融樹脂を、表面に凹凸が設けられた型ロールと圧着ロールとで挟圧する、いわゆる２ロール法や、凹凸が表面に付与された転写材を合成樹脂フィルムに加熱プレスする方法などの様々な方法が用いられている。
【０００３】
例えば、下記の特許文献１には、図５に略図的に示す熱可塑性樹脂のシート加工装置が開示されている。図５に示すように、シート加工装置１０１では、供給ロール１０２に巻回された熱可塑性樹脂シート１０３が繰り出される。熱可塑性樹脂シート１０３は、型ロール１０４と圧着ロール１０５との間に導かれる。型ロール１０４の外周面には凹凸が付与されている。型ロール１０４の外表面に熱可塑性樹脂シート１０３が供給される部分よりも型ロール１０４の回転方向上流側に加熱装置１０６が設けられている。加熱装置１０６により金属からなる型ロール１０４を加熱する。そのため、型ロール１０４と圧着ロール１０５との間で熱可塑性樹脂シート１０３を挟圧することにより、型ロール１０４の外表面の凹凸を熱可塑性樹脂シート１０３に確実に転写することができるとされている。
【０００４】
ここでは、圧着ロール１０５と、ロール１０７，１０８とにエンドレスベルト１０９が架けわたされている。エンドレスベルト１０９は、型ロール１０４表面の熱可塑性樹脂シート１０３に密着される。エンドレスベルト１０９により、凹凸が付与された熱可塑性樹脂シート１０３が冷却され、型ロール１０４から熱可塑性樹脂シート１０３を無理なく剥離することができるとされている。
【０００５】
他方、下記の特許文献２には、図６に示す熱可塑性樹脂フィルムの加工装置１１１が開示されている。加工装置１１１では、溶融押出機１１２から熱可塑性樹脂フィルム１１３が押し出される。熱可塑性樹脂フィルム１１３は、第１のロール１１４と押圧ロール１１７との間に導かれる。第１のロール１１４と第２のロール１１５との間に、外表面に転写用凹凸が付与された無端ベルト１１６が掛け渡されている。第１のロール１１４上において、熱可塑性樹脂フィルム１１３が、無端ベルト１１６の外表面の凹凸に接触され、該凹凸が熱可塑性樹脂フィルム１１３に転写される。ここでは、無端ベルト１１６の張力を制御するための張力制御用ロール１１８が第１のロール１１４の上流側に配置されている。そのため、無端ベルト１１６の張力を高精度に制御することができるとされている。第１のロール１１４及び第２のロール１１５は、表面がゴムからなるラバーロールを用いて構成されている。
【先行技術文献】
【特許文献】
【０００６】
【特許文献１】特開平１０−２９１２５１号公報
【特許文献２】特開２００８−７３９１４号公報
【発明の概要】
【発明が解決しようとする課題】
【０００７】
特許文献１に記載の熱可塑性樹脂のシート加工装置１０１では、表面に微細な凹凸が付与されている熱可塑性樹脂シートを得ることができる。しかしながら、転写用型として用いられている金属ベルトの揺動を制御することができなかった。従って、表面に凹凸を有する熱可塑性シートを高精度に連続成形するのが困難であった。
【０００８】
これに対して、特許文献２に記載の加工装置１１１では、張力制御用ロール１１８が設けられている。そのため、無端ベルト１１６を安定に搬送することができる。ところが、本装置では本来の目的の形状が転写されたフィルムを製造するのは困難である。なぜならば、熱可塑性樹脂フィルム１１３に形状を転写するために、無端ベルト１１６を加熱装置１１９により熱可塑性樹脂フィルム１１３のガラス転移温度Ｔｇ以上に加熱する必要がある。そのため、ラバーロールからなるロール１１４の表面温度が高くなり、ラバーロール表面の劣化が進むという問題がある。すなわち、変質したラバーロール表面に馴染むように無端ベルト１１６が変形するおそれがある。その結果、熱可塑性樹脂フィルム１１３の表面に転写される形状が、予め定めた凹凸とは異なるものとなるおそれがある。
【０００９】
本発明の目的は、上述した従来技術の欠点を解消し、様々な熱可塑性樹脂を用いて表面に微細な凹凸を確実に形成することを可能とする樹脂シートの製造装置及び製造方法を提供することにある。
【課題を解決するための手段】
【００１０】
本発明に係る樹脂シートの製造装置は、一方面に凹凸が形成されている樹脂シートの製造装置である。本発明の樹脂シートの製造装置は、金属からなるロール本体を有する温度調節ロールと、前記温度調節ロールと隔てられて配置された回転ロールと、前記温度調節ロールを回転駆動するロール駆動装置と、前記温度調節ロールと前記回転ロールとの間に掛け渡らされており、かつ外周面に前記樹脂シートの表面に形成される凹凸に対応した形状の凹凸が形成されている無端金属帯状体と、前記無端金属帯状体を前記温度調節ロールの外表面に接触させつつ、前記樹脂シートを前記無端金属帯状体の外周面に接触させて前記樹脂シートの一方面に凹凸を付与するように、前記温度調節ロールに前記無端金属帯状体及び前記樹脂シートを介して圧接される圧着ロールと、前記無端金属帯状体の外周面に前記樹脂シートが接触される位置よりも上流側において前記無端金属帯状体を加熱するための加熱装置とを備える。ここで、前記温度調節ロールの中心と前記無端金属帯状体と前記樹脂シートとが接触する点とを結んだ線に対し、６０度〜９０度の角度をなすように前記無端金属帯状体と前記樹脂シートが接触する点に向かって前記無端金属帯状体が移動されるように構成されている。
【００１１】
本発明に係る樹脂シートの製造装置のある特定の局面では、加熱装置が電磁誘導を利用した加熱装置である。この場合には、非接触的に無端金属帯状体を所望の温度に高精度に加熱することができる。非接触式であるため、無端金属帯状体の表面の凹凸の変形が生じ難い。
【００１２】
好ましくは、温度調節ロールの外表面は金属からなり、その場合には、温度調節ロールの外表面が、加熱されたとしても、変形し難い。従って、無端金属帯状体の変形が生じ難く、無端金属帯状体の外表面の凹凸をより高精度に樹脂シートに転写することができる。
【００１３】
本発明に係る樹脂シートの製造装置では、好ましくは、前記無端金属帯状体の温度をＴ１、前記温度調節ロールの温度をＴ２、前記樹脂シートの融解温度をＴｍとしたときに、Ｔ１＞Ｔｍ＞Ｔ２となるように、前記無端金属帯状体及び前記温度調節ロールの温度が設定されている。この場合には、熱可塑性樹脂シート表面に無端金属帯状体外表面の凹凸をより一層高精度に付与することができる。
【００１４】
より好ましくは、前記樹脂シートの前記無端金属帯状体に接する前の温度をＴ３としたときに、Ｔ３＞Ｔ１となるように前記樹脂シートの温度及び前記無端金属帯状体の温度が設定されている。
【００１５】
本発明に係る樹脂シートの製造装置のさらに他の特定の局面では、前記無端金属帯状体の温度をＴ１、前記温度調節ロールの温度をＴ２、前記樹脂シートが非晶性熱可塑樹脂から成り、該非晶性熱可塑樹脂からなる樹脂シートのガラス転移温度をＴｇとしたときに、Ｔ１＞Ｔｇ＞Ｔ２となるように前記無端金属帯状体及び前記温度調節ロールの温度が設定されている。この場合には、樹脂シート表面に、無端金属帯状体外表面の凹凸をより高精度に転写することができる。より好ましくは、前記樹脂シートの前記無端金属帯状体に接する前の温度をＴ３としたときに、Ｔ３＞Ｔ１となるように前記樹脂シート及び前記無端金属帯状体の温度が設定される。
【００１６】
本発明に係る樹脂シートの製造装置のさらに別の特定の局面では、溶融された樹脂からなる樹脂シートを押し出す溶融押出装置をさらに備え、該溶融押出装置から押し出された樹脂シートが前記温度調節ロールと前記圧着ロールとの間に導かれる。この場合には、溶融押出装置が樹脂シートを押し出し、連続的に、表面に凹凸が形成された樹脂シートを高い生産性で製造することができる。
【００１７】
本発明に係る樹脂シートの製造装置のさらに他の特定の局面では、前記温度調節ロールが中空部を有し、金属からなるロール本体を備え、該中空部に冷媒を供給するための冷媒供給装置をさらに備える。この場合には、温度調節ロールが外表面において、形状が賦型された樹脂シートを速やかに冷却し、該樹脂シートを無理なく剥離することができる。
【００１８】
本発明に係る樹脂シートの製造装置では、より好ましくは、前記無端金属帯状体の外表面に設けられた凹凸における凸部の断面のアスペクト比が０．５以上、１２．５以下である。アスペクト比がこの範囲内にある場合、樹脂シート表面の凹凸をより一層高精度に形成することができる。
【００１９】
本発明に係る樹脂シートの製造方法は、本発明に従って構成された樹脂シートの製造装置を用いて、少なくとも一方面の凹凸が形成されている樹脂シートの製造方法であり、前記無端金属帯状体を前記温度調節ロールと前記回転ロールとに掛け渡した状態で温度調節ロールを回転駆動し、前記無端金属帯状体を前記温度調節ロールよりも上流側において前記加熱装置により加熱しつつ、該無端金属帯状体を周回駆動させる工程と、前記温度調節ロールの外表面に接触されて温度調節ロールの外表面を移動する前記無端金属帯状体の外表面に前記樹脂シートの一方面を接触させ、樹脂シートの一方面に凹凸を付与する工程と、前記凹凸が付与された前記樹脂シートを前記温度調節ロールの外周面上において前記無端金属帯状体から剥離する工程とを備える。
【発明の効果】
【００２０】
本発明に係る樹脂シートの製造装置によれば、無端金属帯状体が、加熱装置により加熱され、加熱された無端金属帯状体が温度調節ロールに接触されるとほぼ同時に、温度調節ロールが回転している内に、樹脂シートの一方面が充分に加熱された温度で無端金属帯状体の外表面に接触されるので、樹脂シートの一方面に無端金属帯状体の外表面の凹凸を確実にかつ高精度に転写することができる。
【００２１】
よって、凸部断面のアスペクト比が例えば０．５以上の凹凸や、非常に微細な凹凸を一方面に有する樹脂シートを確実にかつ安定に供給することが可能となる。
【図面の簡単な説明】
【００２２】
【図１】（ａ）は本発明の一実施形態に係る樹脂シートの製造装置の概略構成図であり、（ｂ）はその装置に用いられる無端金属帯状体の拡大図であり、（ｃ）は第１の実施形態で得られる樹脂シートを示す部分切欠正面断面図である。
【図２】本発明の第１の実施形態で得られる樹脂シートの応用例を示す部分切欠断面図である。
【図３】本発明の第２の実施形態に係る樹脂シートの製造装置の概略構成図である。
【図４】本発明の第３の実施形態に係る樹脂シートの製造装置の概略構成図である。
【図５】従来の熱可塑性樹脂のシート加工装置を説明するための概略構成図である。
【図６】別の従来の熱可塑性樹脂のシート加工装置の概略構成図である。
【発明を実施するための形態】
【００２３】
以下、図面を参照しつ、本発明の具体的な実施形態を説明することにより、本発明を明らかにする。
【００２４】
（第１の実施形態）
図１（ａ）は、発明の第１の実施形態に係る樹脂シートの製造装置を示す概略構成図であり、図１（ｂ）はその要部を示す部分拡大断面図であり、（ｃ）は本実施形態で得られる樹脂シートを示す部分切欠正面断面図である。
【００２５】
図１（ａ）に示すように、樹脂シートの製造装置１は、熱可塑性樹脂を溶融する溶融押出装置２を有する。溶融押出装置２は、熱可塑性樹脂を溶融し、熱可塑性樹脂シート３として押し出す。なお、本実施形態では、溶融押出装置２を用いているが、本発明においては、溶融押出装置２を用いずともよく、予めシート成型された熱可塑性樹脂シートを当初から用いてもよい。
【００２６】
もっとも、溶融押出装置２から押し出された直後の熱可塑性樹脂シート３は比較的高温状態にあり、転写による微細な凹凸の付与が容易であるため、溶融押出装置２を用いることが好ましい。予め成型された熱可塑性樹脂シートを用いる場合には、後の工程で、微細な凹凸を転写するのに必要な温度に充分に熱可塑性樹脂シート３を加熱する必要がある。
【００２７】
用いられる熱可塑性樹脂としては特に限定されないが、本実施形態では、ポリメチルメタクリレートが用いられる。用い得る他の熱可塑性樹脂としては、例えば、ポリカーボネート、ポリエチレンテレフタレート、ポリエチレンテレフタレート、ポリビニルブチラール、エチレンビニルアルコール樹脂、シクロオレフィンポリマー、シクロオレフィンコポリマーなどが挙げられる。
【００２８】
熱可塑性樹脂シート３は、温度調節ロール４と圧着ロール５との間に供給される。
【００２９】
図１（ｂ）に示すように、温度調節ロール４は、金属からなる。このような金属としては特に限定されず、アルミニウム、ステンレスや鉄などの強度の高い適宜の金属を用いることができる。温度調節ロール４は円筒状であり、中空部４ａを有し、必須ではないが略図的に示す冷媒供給装置６から内部に空気等の冷媒が供給される。
【００３０】
温度調節ロール４と隔てられて、回転ロール７が配置されている。温度調節ロール４は、図示しない駆動源により図示の矢印方向に回転駆動される。温度調節ロール４と、回転ロール７とに、無端金属帯状体８が掛け渡されている。本実施形態では、温度調節ロール４が図示の矢印方向に回転され、無端金属帯状体８が該矢印方向に沿って移動するため、回転ロール７もまた、図示の矢印方向に回転することとなる。回転ロール７は、回転自在に設けられている。
【００３１】
無端金属帯状体８の材質は特に限定はしないが、無端金属帯状体の加熱方法に電磁誘導加熱を用いる場合には、好ましくは、ニッケルもしくはニッケル合金もしくは、ニッケルを５％以上含有するステンレス、又は、炭素鋼などの透磁率の高い金属材料からなることが好ましく、より具体的には、比透磁率が２以上のものが望ましい。また、金属からなるため、熱伝導性に優れ、温度制御も容易である。本実施形態では、無端金属帯状体８はＮｉからなる。
【００３２】
また、無端金属帯状体８の加熱に、赤外線加熱を用いる場合には、赤外線加熱される側の面は黒色体が望ましい。特に、無端金属帯状体８の内側から加熱することで、無端金属帯状体８の内側面を黒色処理することにより、より効率的な加熱を行うことができる。
【００３３】
無端金属帯状体８の外周面には、図１（ｂ）に示すように、複数の凸部８ａが形成されており、それによって、外周面に微細な凹凸が形成されている。この複数の凸部８ａは、無端金属帯状体８の搬送方向に沿って延びている。また、上記搬送方向と直交する方向すなわち、無端金属帯状体８の幅方向に沿って規則的に複数の凸部８ａが設けられている。上記凹凸は、最終的に得られる熱可塑性樹脂シートの一方面に形成される凹凸を反転した形状に相当する。
【００３４】
好ましくは、無端金属帯状体８の外周面すなわち上記凹凸が形成されている側の面には、熱可塑性樹脂シートの剥離を容易とするために、易剥離性材料層が形成されていてもよい。このような易剥離性材料としては、フッ素含有単分子膜等の有機系材料、あるいはダイヤモンドライクカーボンのような無機材料を適宜用いることができる。
【００３５】
図１（ａ）に示すように、温度調節ロール４は、モータなどの駆動装置Ｍにより、図示の矢印方向に回転する。他方、圧着ロール５は、回転自在に設けられており、熱可塑性樹脂シート３を温度調節ロール４と圧着ロール５との間の隙間において温度調節ロール４の外周面上に位置している無端金属帯状体８側に圧着ロール５が熱可塑性樹脂シート３を圧接する。すなわち、熱可塑性樹脂シート３は、温度調節ロール４上の無端金属帯状体８と圧着ロール５との間で挟圧される。
【００３６】
圧着ロール５は、適宜の金属により形成することができる。このような金属として、特に限定されず、ステンレスや、鉄などを挙げることができる。更には、圧着性を高めるためにゴム等柔軟性物質がコーティングされているのも良い。
【００３７】
温度調節ロール４と圧着ロール５とで熱可塑性樹脂シート３が挟圧され、後述の転写が行われる部分を点Ｂとする。点Ｂよりも温度調節ロール４の回転方向上流側の位置、すなわち無端金属帯状体８の搬送方向上流側の位置Ｙにおいて、無端金属帯状体８を加熱するための加熱装置９が配置されている。この装置が電磁誘導を利用したものの場合、加熱装置９は、高周波電流が通電されるコイルを有し、該コイルに高周波電流が通電された際の磁界により、前述した金属からなる無端金属帯状体８が電磁誘導加熱され、発熱する。加熱の程度は、無端金属帯状体８が、熱可塑性樹脂シート３に前述した凹凸を転写するのに適宜な温度に無端金属帯状体８を加熱するように設定される。
【００３８】
この場合には、非接触的に無端金属帯状体を所望の温度に高精度に加熱することができる。非接触式であるため、無端金属帯状体の表面の凹凸の変形が生じ難い。
【００３９】
位置Ｙは、点Ｂよりも、無端金属帯状体８の搬送方向すなわち温度調節ロール４の回転方向において上流側であれば、特に限定されるものではないが、好ましくは、位置Ｙで加熱された無端金属帯状体８が点Ｂで樹脂シートに形状が転写されるに十分な温度に保持できること位置にあることが望ましい。
【００４０】
本実施形態の特徴は、熱可塑性樹脂シート３が無端金属帯状体８とを接触する点Ｂと、温度調節ロール４の中心Ｏを結ぶ直線Ａに対して、無端金属帯状体８が上流側から、点Ｂに向かって搬送される方向が６０度〜９０度の角度θをなすように無端金属帯状体８が搬送されることにある。上記直線Ａに対し、熱可塑性樹脂シート３は直線Ａと直交する方向において、上流側から点Ｂに向かうように供給される。そのため、熱可塑性樹脂シート３と、無端金属帯状体８は、点Ｂの上流側において角度（９０度−θ）をなすこととなる。θが上記のように６０度以上、９０度未満であるため、無端金属帯状体８と、熱可塑性樹脂シート３とのなす角度は、３０度未満となる。そのため、加熱された無端金属帯状体８が、点Ｂで熱可塑性樹脂シート３に接触するまでに、温度調節ロール４により、無端金属帯状体８が冷却されるのを抑制することができる。
【００４１】
すなわち、無端金属帯状体８が、Ｔｇ以上の高温である熱可塑性樹脂シート３に３０度未満の角度をなすように近接され、かつ温度調節ロール４に対してはさほど近づけられないので、点Ｂに向かうため、無端金属帯状体８が、点Ｂの上流側で過度に冷却され難い。よって、無端金属帯状体８の外周面に設けられた凸部８ａに基づく微細な凹凸を、熱可塑性樹脂シート３に確実にかつ高精度に転写することができる。
【００４２】
また、無端金属帯状体８には、回転ロール７の位置を調整することにより定められた張力が与えられている。これにより、揺動防止が図られ、更には、加熱装置９との距離も一定に維持することができ、点Ｂにおける無端金属帯状体の温度が安定し、ひいては、熱可塑性樹脂シート３の温度も安定するので、高精度に凹凸形状が付与された熱可塑性樹脂シート３を製造することができる。
【００４３】
圧着ロール５と温度調節ロール４のうち少なくとも一方は、軸方向における端部の直径よりも軸方向中央における直径が大きい、樽型のクラウンロールにより形成されていてもよい。少なくとも一方をクラウンロールとすることにより、ロールの軸方向中央部におけるへこみを抑制することができる。従って、ロールの軸方向中央においても樹脂シートの形状の精度を高めることができる。
【００４４】
温度調節ロール４と隔てられて、ロール１０が配置されている。熱可塑性樹脂シート３は、上記点Ｂで凹凸が付与された後、温度調節ロール４の外周面、より具体的には、上記無端金属帯状体８の外周面に接触したまま温度調節ロール４とともに移動し、位置Ｚにおいて温度調節ロール４から分離される。ロール１０は、この位置Ｚを調節するために設けられている。すなわち、ロール１０に凹凸が付与された熱可塑性樹脂シート３が掛けわたされており、位置Ｚが適切な位置となるようにロール１０が設定されている。
【００４５】
本実施形態の樹脂シートの製造装置１を用いた製造方法を説明する。
【００４６】
本実施形態では、図１（ｃ）に示す熱可塑性樹脂シート３からなるプリズムシートが最終的に得られる。熱可塑性樹脂シート３は、一方面側においてシート搬送方向と垂直な方向に沿う断面が直角二等辺三角形の複数の凸部３ａを有する。複数の凸部３ａは規則的に配置されている。この複数の凸部３ａの形成により、熱可塑性樹脂シート３の一方面に凹凸が形成されている。凸部３ａの上記断面における幅方向寸法をＷとする。また、凸部３ａの高さをｈ、熱可塑性樹脂シート３の上記凸部３ａを除いたシート本体部分の厚みをｔとする。言い換えれば、熱可塑性樹脂シート３では、一方面側に高さｈ及び幅Ｗの複数の凸部３ａを有する。
【００４７】
熱可塑性樹脂シート３を転写法により得るため、無端金属帯状体８の外表面には、上記複数の凸部３ａ間の凹部が凸部に相当する凸部８ａが形成されている。
【００４８】
製造に際しては、溶融押出装置２から溶融状態にある熱可塑性樹脂シート３を押し出し、熱可塑性樹脂シート３を温度調節ロール４と圧着ロール５との間に送り出す。温度調節ロール４を駆動装置Ｍで回転駆動しつつ、加熱装置９により無端金属帯状体８を加熱する。それによって、良好な転写を行うのに必要な温度以上に無端金属帯状体８を加熱する。
【００４９】
この温度は、熱可塑性樹脂シート３の材料、また熱可塑性樹脂シート３の温度調節ロール４に供給される直前の温度によっても異なるが、点Ａにおいて、転写を良好に行い得る温度となるように加熱を行えばよい。このような温度としては、熱可塑性樹脂シート３のガラス転移温度Ｔｇ以上であることが好ましく、その場合、無端金属帯状体８の外表面の凹凸を容易にかつ確実に転写することができる。
【００５０】
なお、熱可塑性樹脂シート３のガラス転移温度Ｔｇとは、熱可塑性樹脂シート３を構成している熱可塑性樹脂及び必要に応じて添加される可塑剤等の添加剤等を含む組成物のＤＳＣチャートで読み取れることができるガラス転移温度をいうものとする。
【００５１】
加熱された無端金属帯状体８は、点Ｂまで移動していく。このとき、無端金属帯状体８の進入角度を上記のように設定しているので、点Ｂに至るまでに、温度調節ロール４との間の距離をある程度長くすることができる。一方で、温度調節ロール４に過度に近接することにより生じる無端金属帯状体８の温度降下を抑制することができる。
【００５２】
点Ｂにおいて、圧着ロール５により、熱可塑性樹脂シート３が温度調節ロール４側に圧接される。その結果、熱可塑性樹脂シート３の温度調節ロール４側の面に無端金属帯状体８の表面の凹凸を反転した形状の凹凸が転写されることとなる。
【００５３】
好ましくは、無端金属帯状体８の温度をＴ１、温度調節ロール４の温度をＴ２、結晶性の熱可塑性樹脂シート３の融解温度をＴｍとしたとき、Ｔ１＞Ｔｍ＞Ｔ２となるように、無端金属帯状体８及び温度調節ロール４の温度が設定される。その場合には、無端金属帯状体８の温度が熱可塑性樹脂シート３の融解温度Ｔｍよりも高くなるため、無端金属帯状体８の外周面の凹凸を熱可塑性樹脂シート３に確実にかつ容易に付与することができる。また、温度調節ロール４により、賦型後の熱可塑性樹脂シート３を速やかに冷却し、賦型された形状を確実に保持させることができる。
【００５４】
より好ましくは、熱可塑性樹脂シート３の無端金属帯状体８に接する前の温度Ｔ３としたとき、Ｔ３＞Ｔ１となるように熱可塑性樹脂シート３の温度及び無端金属帯状体８の温度が設定される。それによって、熱可塑性樹脂シート３の無端金属帯状体８に接する前の温度Ｔ３が無端金属帯状体８の温度Ｔ１よりも高いので、熱可塑性樹脂シート３に無端金属帯状体８の外周面の凹凸をより確実に付与することができる。
【００５５】
また、熱可塑性樹脂シート３が非晶性の熱可塑性樹脂からなる場合、非晶性の熱可塑性樹脂からなる熱可塑性樹脂シート３のガラス転移温度Ｔｇとしたとき、Ｔ１＞Ｔｇ＞Ｔ２となるように無端金属帯状体８及び温度調節ロール４の温度が設定される。この場合、上記と同様に、無端金属帯状体８の温度Ｔ１が、Ｔｇよりも高いので、無端金属帯状体８の外周面の凹凸をより一層容易にかつ確実に熱可塑性樹脂シート３に付与することができる。また、温度調節ロール４において、賦型された熱可塑性樹脂シート３を速やかに冷却し、賦型形状を確実に保持することができる。この場合において、より好ましくは、Ｔ３＞Ｔ１となるように、熱可塑性樹脂シート３及び無端金属帯状体８の温度が設定される。
【００５６】
しかる後、熱可塑性樹脂シート３は温度調節ロール４の外周面、より具体的には、上記無端金属帯状体８の外周面に接触されたまま、点Ｂから位置Ｚまで移動する。この場合、温度調節ロール４のロール本体の内部に水や油などの冷媒が供給されているため、温度調節ロール４のロール本体は、点Ｂから位置Ｚに至るにつれ温度が低下し、さらに無端金属帯状体８もまた冷却されることとなるため、位置Ｚにおいて、熱可塑性樹脂シート３を無端金属帯状体８の外表面から無理なく剥離することができる。
【００５７】
本実施形態の製造装置及び製造方法によれば、上記加熱装置９を用いて、無端金属帯状体８を加熱するため、微細な凹凸の転写に必要な温度以上に無端金属帯状体８を速やかにかつ確実に加熱することができる。加えて、加熱された無端金属帯状体８が樹脂シートを圧着する前に、温度調節ロールにより冷却されるのを抑制しているので、その熱利用効率はより高いものとなっている。従って、点Ｂから位置Ｙに至るまで、無端金属帯状体８は、転写に適切な温度に確実に保温される。よって、点Ｂにおいて、熱可塑性樹脂シート３に微細な凹凸を高精度に転写することができる。
【００５８】
加えて、点Ｂから位置Ｚの間の領域においては、冷媒により温度調節ロール４が冷却されているが、無端金属帯状体８の温度がゆるやかに低下し、位置Ｚにおいて、微細な凹凸を一方面に有する熱可塑性樹脂シート３を無端金属帯状体８の外表面から無理なく剥離することができる。
【００５９】
前述した図５及び図６に示した従来の熱可塑性樹脂シートの加工装置では、予備加熱により予め熱可塑性樹脂シートの温度を高めることが試みられていた。しかしながら、予備加熱で与えられた熱が転写に先立ち放散し、転写時の温度が必ずしも適切な温度とされ難かった。従って、微細な凹凸を高精度に転写することができなかった。これに対して、本実施形態によれば、上記のとおり、微細な凹凸を熱可塑性樹脂シート３に高精度に転写することができる。
【００６０】
特に、上記凸部３ａのアスペクト比ｈ／ｗが高い凹凸も本実施形態によれば高精度に転写することができる。具体的には、前述した従来のシート加工装置１０１では、アスペクト比が０．５以上の凸部を転写法により形成することができなかったのに対し、本実施形態によれば、上記アスペクト比ｈ／ｗが０．５以上の凸部３ａを有する凹凸を極めて低圧な転写圧力で熱可塑性樹脂シート３の一方面に転写することができる。
【００６１】
また、上記のようなアスペクト比の大きい凹凸が一方面に形成された場合、熱可塑性樹脂シート３を温度調節ロール４から剥離するのに、ある程度低い温度まで冷却する必要がある。さもなければ、アスペクト比の大きい凹凸の形状が剥離に際し変形したり、熱可塑性樹脂シート３に不毛でない歪み等が生じるおそれがある。本実施形態では、点Ｂから位置Ｚに至る間に、無端金属帯状体８が適度に冷却されるため、アスペクト比の大きい凸部を有する凹凸の場合であっても、無理なく温度調節ロール４から剥離することができる。
【００６２】
従って、得られた熱可塑性樹脂シートの均一性を高めることができ、歪み量を小さくすることができる。よって、例えば光学用フィルムもしくはシートとして、上記熱可塑性樹脂シート３を好適に用いることができる。
【００６３】
本発明により得られる熱可塑性樹脂シートは、プリズムシートの凹凸が一方面に付与された様々な光学シートに好適に用いることができる。このような光学シートとしては、レンチキュラーレンズシート、フレネルレンズシート、マイクロレンズアレイシートなどが挙げられる。また、光学シートに限らず、無秩序で微細な凹凸が一方面に設けられているエンボスシートなど、様々な微細な凹凸を一方面に有する熱可塑性樹脂シートを発明により提供することができる。
【００６４】
なお、第１の実施形態では、図１（ｃ）に示した複数の凸部３ａを有する凹凸が形成されていたが、本発明により熱可塑性樹脂シートの一面に形成される凹凸形状は特に限定されない。例えば、図２に示すラインアンドスペース形状１２のように、表面に熱可塑性樹脂シート３の搬送方向に垂直な方向に沿う断面において、幅がＷ１及び高さｈの長方形の凸部が間隔Ｗ２を隔てられて配置されていてもよい。ここで、厚みｔは、上記凹凸の凸部を除いた熱可塑性樹脂シート１１のシート本体部の厚みである。この場合のアスペクト比は、上記と同様に、ｈ／Ｗ１で定義される。
【００６５】
（第２の実施形態）
図３は、本発明の第２の実施形態に係る樹脂シートの製造装置を示す概略構成図である。本実施形態の樹脂シートの製造装置２１では、溶融押出装置２から熱可塑性樹脂シート３が圧着ロール５円周上に供給される。溶融押出装置２及び圧着ロール５は第１の実施形態と同様に構成されている。
【００６６】
図３では、溶融押出装置２から水平方向に熱可塑性樹脂シート３が送り出されているが、実際には、図３の装置を９０度回転させ、溶融押出装置２から垂直方向に熱可塑性樹脂シート３が押し出されるように、製造装置２１を配置する。
【００６７】
ところで、本実施形態では、熱可塑性樹脂シート３は、圧着ロール５の外周面上を搬送され、温度調節ロール４と圧着ロール５との間の位置Ｂに至る。このように、熱可塑性樹脂シート３は、位置Ｂに至るまで、圧着ロール５の外周面を移動させてもよい。
【００６８】
本実施形態においても、無端金属帯状体８が位置Ｂに搬送される方向は、温度調節ロール４の中心Ｏと、点Ｂとを結ぶ直線Ａに対し、６０度以上、９０度未満の範囲とされているため、点Ｂに向かう直前に、無端金属帯状体８は、温度調節ロール４から遠ざけられている。従って、無端金属帯状体８が、点Ｂに向かうまでに、温度調節ロール４により冷却され難い。従って、上記第１の実施形態の場合と同様に、無端金属帯状体８の外周面に設けられた凹凸を、熱可塑性樹脂シート３に高精度に転写することができる。点Ｂよりも下流側においては、第１の実施形態と同様であるため、第１の実施形態の説明を援用することにより、詳細な説明を省略することとする。
【００６９】
本実施形態の樹脂シートの製造装置２１を用いた製造方法においても、点Ｂに至るまでに、すなわち加熱装置９により無端金属ベルト２４が位置Ｙにおいて加熱され、無端金属ベルト２４が転写に充分な温度以上に加熱される。従って、点Ｂにおいて、微細な凹凸が熱可塑性樹脂シート３に確実に転写される。転写後は、第１の実施形態と同様に、適度に熱可塑性樹脂シート３が温度調節ロール２２の外周面に沿って移動する際に、適度な温度に冷却される。従って、位置Ｚにおいて、微細な凹凸が一方面に付与された熱可塑性樹脂シート３を無理なく剥離することができる。
【００７０】
また、無端金属ベルト２４は温度調節ロール２２と別体であるため、摩擦による無端金属ベルト２４の内周面の磨耗や、無端金属ベルト２４の位置擦れもしくは切断等を抑制するために、このような効果を果たす無機材料層を形成してもよい。それによって、樹脂シートへの異物の混入を防ぐことも可能となる。
【００７１】
加熱装置９に、電磁誘導加熱に用いる高周波電流の周波数は特に限定されないが、１０ｋＨｚ〜１ＭＨｚの範囲が好ましい。周波数が高くなりすぎると、無端金属帯状体８の透磁率が低くなるため、効率的に加熱することが困難となる。低すぎると無端金属帯状体８内における電磁場の乱れが生じるおそれがあり、外部に磁界が漏洩したりし、やはり効率的な加熱を行うことができないおそれがある。
【００７２】
図１（ａ）では、温度調節ロール４と回転ロール７との間に無端金属帯状体８を掛けわたしていたが、図４に示すように、回転ロール７Ａとして、温度調節ロール４と同様の構造を有するロールを用いてもよい。このように、無端金属帯状体８の内側に複数個の温度調節ロールを配置することにより、無端金属帯状体８の温度調節をより細やかに行うことができる。例えば、ポリプロピレンなどの結晶性の熱可塑性樹脂をシート化する場合、結晶化速度の制御も、複数の温度調節ロールを用いることにより容易に行い得る。従って、より品質の優れた熱可塑性樹脂シートを提供することができる。
【００７３】
回転ロール７Ａの制御温度は、温度調節ロール４と等しくともよく、異なっていてもよく、また回転ロール７Ａの構成は温度調節ロール４と同一であってもよく、異なっていてもよい。
【００７４】
もっとも、回転ロール７Ａを温度調節ロール４と同一とした場合、成型条件の調整例えば温度調整をより確実にかつ速やかに行うことができる。また、製造装置の準備や、メンテナンスも容易となる。
【００７５】
また、温度調節ロール４及び回転ロール７Ａに加えて、さらに加熱装置９の下流側であって、点Ｂよりも上流側に別の温度調節ロールを設けてもよく、その場合、上流側の温度調節ロールの温度を相対的に高くすることにより、転写性をよりいっそう高めることができる。
【００７６】
温度調節ロール４及び回転ロール７Ａを用いた場合、回転ロール７Ａの位置を制御することにより、無端金属帯状体８の張力を調整することができる。それによって、無端金属ベルト２４の蛇行を防止したり、温度調節ロール４及び回転ロール７Ａ間の熱伝達の程度を調整することも可能となる。
【００７７】
〔実施例及び比較例〕
以下、本発明の具体的な実施例及び比較例を挙げて、本発明の効果を明らかにする。
【００７８】
（実施例１）
第１の実施形態の樹脂シートの製造装置１を用い、図１（ｃ）に示した熱可塑性樹脂シート３を得た。図１（ｃ）に示すＷ，ｈ及びｔは、それぞれ、Ｗ＝２５μｍ、ｈ＝５０μｍ、ｔ＝２００μｍとした。使用した熱可塑性樹脂は旭化成株式会社製、アクリル樹脂、商品名：デルペットを用いた。また、無端金属帯状体８の温度調節ロールに接する際の上記角度θを１０度とした。
【００７９】
なお、点Ａにおいて無端金属帯状体の表面温度は１６０℃とするように条件を設定した。
【００８０】
（実施例２）
無端金属帯状体８の温度調節ロールに接する際の角度θを３０度としたことを除いては実施例１と同様にして熱可塑性樹脂シートを得た。
【００８１】
（比較例１）
無端金属帯状体８の温度調節ロールに接する角度θを４０度としたことを除いては実施例１と同様にして熱可塑性樹脂シートを得た。
【００８２】
（評価）
実施例１〜２及び比較例１，２で得られた各熱可塑性樹脂シートにおける凹凸転写性を評価した。凹凸部分をシート面方向と直交する方向に切断し、マイクロスコープにより撮影し、転写率及び凸部の角部の曲率半径Ｒを求めた。結果を下記の表１に示す。
【００８３】
表１における転写率とは、無端金属帯状体に形成された凹凸と、熱可塑性樹脂シートに転写された凹凸の高さの比を意味する。すなわち、無端金属帯状体の凸部の高さと、図１（ｃ）に示した高さｈとの比を１００分率で表した値である。また、表１の角部Ｒは、上記断面における凸部の先端の両側のコーナー部の曲率半径の平均値である。
【００８４】
【表１】
0005530247.tif 000002
【００８５】
表１における角部Ｒの測定不能とは、角部が丸みを帯びていないことを意味する。
【００８６】
実施例１及び２では、無端金属帯状体の凹凸の形状が、熱可塑性樹脂シート３の一方面に完全に転写されており、角部においても、丸みが見られなかった。これに対して、比較例１では、角部に丸みが生じており、完全転写のものを得ることができなかった。
【符号の説明】
【００８７】
１…製造装置
２…溶融押出装置
３…熱可塑性樹脂シート
４…温度調節ロール
４ａ…中空部
５…圧着ロール
６…冷媒供給装置
７…回転ロール
７Ａ…回転ロール
８…無端金属帯状体
８ａ…凸部
９…加熱装置
１０…ロール
１１…熱可塑性樹脂シート
２１…製造装置
２２…温度調節ロール
２４…無端金属ベルト
【図１】
0005530247.tif 000003
【図２】
0005530247.tif 000004
【図３】
0005530247.tif 000005
【図４】
0005530247.tif 000006
【図５】
0005530247.tif 000007
【図６】
0005530247.tif 000008